(57)【要約】【課題】中子取出し時、中子の振れを防止して、鋳造物への衝突をなくし、鋳造物の破損を防止できるセラミックス鋳造用中子取外治具を提供する。また、これを用いたセラミックス鋳造方法を提供する。【解決手段】本セラミックス鋳造用中子取外治具は、鋳込空間が形成されるように中子が収容される外型上に、着脱自在に取付けられる枠体２と、この枠体２に立設された複数のガイドバー３と、このガイドバー３間に橋設されかつ案内されて所定距離上昇可能な橋設部材４と、この橋設部材４に立設され、中子に設けられた中子雌螺子に螺合する雄螺子棒６を有し、橋設部材４を上昇させて中子を鋳造物から取外し、枠体２を外型から離間させる。また、これを用いたセラミックス鋳造方法である。【選択図】  図１
2005103956.tif 000002
【特許請求の範囲】
【請求項１】
鋳込空間が形成されるように中子が収容される外型上に、着脱自在に取付けられる枠体と、この枠体に立設された複数のガイドバーと、このガイドバー間に橋設されかつ案内されて所定距離上昇可能な橋設部材と、この橋設部材に立設され、中子に設けられた中子雌螺子に螺合する雄螺子棒を有し、前記橋設部材を上昇させて中子を鋳造物から取外し、前記枠体を外型から離間させることを特徴とするセラミックス鋳造用中子取外治具。
【請求項２】
前記枠体には、外型上面に当接し、昇降自在に螺合する複数のレベル調整螺子が設けられたことを特徴とする請求項１に記載のセラミックス鋳造用中子取外治具。
【請求項３】
前記枠体には、外型上部周壁に係合する治具位置決め固定部材が設けられたことを特徴とする請求項１又は２に記載のセラミックス鋳造用中子取外治具。
【請求項４】
上記請求項１乃至３いずれかに記載されたセラミックス鋳造用中子取外治具を用いることを特徴とするセラミックス鋳造方法。
【発明の詳細な説明】
【技術分野】
【０００１】
本発明はセラミックス鋳造用中子取外治具及びこれを用いたセラミックス鋳造方法に係わり、特に中子取外し時の中子が振動するのを防止したセラミックス鋳造用中子取外治具及びこれを用いたセラミックス鋳造方法に関する。
【背景技術】
【０００２】
従来、セラミックス鋳造において、鋳込みが完了し、セラミックス鋳造物が硬化して、中子を取外す際に中子が振れて、脆い鋳造物に衝突し、これを破損させることがあり、破損防止のために、作業者の人手により中子を押さえ、中子が鋳造物に当るのを防止していた。
【０００３】
しかし、人手で押さえているだけでは、振れが発生し、中子が鋳造物に衝突するのを完全に防ぐことができず、鋳造物の破損を招いていた。また、中子の取外し時、鋳造物が中子と一緒に持上がるのを防止するために用いられる鉄枠の位置決めの不備、あるいは、そのレベル調整が十分にできなかったため、鋳造物に偏荷重が作用し、破損を招く場合があった。
【０００４】
なお、セラミックス鋳造に中子を用いる方法として、特許文献１及び特許文献２があるが、いずれもその取出しに対する配慮はなされていない。
【特許文献１】特開平８−５２７２８号公報（段落［００３５］、図４）
【特許文献２】特開２００２−２３４０１０号公報（段落［００２２］、図１）
【発明の開示】
【発明が解決しようとする課題】
【０００５】
本発明は上述した事情を考慮してなされたもので、中子取出し時、中子の振れを防止して、鋳造物への衝突をなくし、鋳造物の破損を防止できるセラミックス鋳造用中子取外治具及びこれを用いたセラミックス鋳造方法を提供することを目的とする。
【課題を解決するための手段】
【０００６】
上記目的を達成するため、本発明の１つの態様によれば、鋳込空間が形成されるように中子が収容される外型上に、着脱自在に取付けられる枠体と、この枠体に立設された複数のガイドバーと、このガイドバー間に橋設されかつ案内されて所定距離上昇可能な橋設部材と、この橋設部材に立設され、中子に設けられた中子雌螺子に螺合する雄螺子棒を有し、前記橋設部材を上昇させて中子を鋳造物から取外し、前記枠体を外型から離間させることを特徴とするセラミックス鋳造用中子取外治具が提供される。これにより、中子取出し時、中子の振れを防止して、鋳造物への衝突をなくし、鋳造物の破損を防止できるセラミックス鋳造用中子取外治具が実現される。
【０００７】
好適な一例では、前記枠体には、外型上面に当接し、昇降自在に螺合するレベル調整螺子が設けられている。これにより、外型に対するレベル調整が行え、鋳造物に対して偏荷重が作用するのを防止できる。
【０００８】
また、他の好適な一例では、前記枠体には、外型上部周壁に係合する治具位置決め固定部材が設けられている。これにより、連続した作業での位置決めが容易である。
【０００９】
本発明の他の態様によれば、上記請求項１乃至３いずれかに記載されたセラミックス鋳造用中子取外治具を用いることを特徴とするセラミックス鋳造方法が提供される。これにより、中子取出し時、中子の振れを防止して、鋳造物への衝突をなくし、鋳造物の破損を防止できるセラミックス鋳造方法が実現される。
【発明の効果】
【００１０】
本発明に係わるセラミックス鋳造用中子取外治具によれば、中子取出し時、中子の振れを防止して、鋳造物への衝突をなくし、鋳造物の破損を防止できるセラミックス鋳造用中子取外治具を提供することができる。
【００１１】
また、本発明に係わるセラミックス鋳造方法によれば、中子取出し時、中子の振れを防止して、鋳造物への衝突をなくし、鋳造物の破損を防止できるセラミックス鋳造方法を提供することができる。
【発明を実施するための最良の形態】
【００１２】
以下、本発明に係わるセラミックス鋳造用中子取外治具の一実施形態について添付図面を参照して説明する。
【００１３】
図１はセラミックス鋳造用中子取外治具の斜視図、図２はその使用状態を示す縦断面図、図３はその平面図である。
【００１４】
図１〜図３に示すように、本セラミックス鋳造用中子取外治具１は、鋳込型Ｍに鋳込空隙Ｓが形成されるように中子Ｍ２が収容された割型の外型Ｍ１及び鋳込空隙Ｓを画成する木枠Ｗ上に着脱自在に取付けられる枠体２と、この枠体２に立設された複数例えば一対のガイドバー３と、このガイドバー３間に橋設されかつ案内されて上昇する橋設部材４と、この橋設部材４に立設され中子Ｍ２に設けられた中子雌螺子５に螺合する雄螺子棒６を有する。
【００１５】
枠体２は、例えば正方形状の外型Ｍ１の上面Ｍ１ａ及び木枠Ｗに載置され、正方形状の中子Ｍ２が遊挿される大きさを有する正方形状をなし、さらに、外型Ｍ１の各辺には上面Ｍ１ａに当接し、昇降自在に螺合するレベル調整螺子２ａが２個づつ設けられており、レベル調整螺子２ａを昇降させることにより、枠体２のレベルを調整できるようになっている。これにより、中子Ｍ２から鋳造物Ｃに対して偏荷重が作用するのが防止されて、脆い鋳造物Ｃの破損が防止できる。また、枠体２には、治具位置決め固定部材２ｂが設けられており、この治具位置決め固定部材２ｂは鉤形をなし、その爪部２ｂ１が外型Ｍ１の上部周壁Ｍ１ｂに係合し、枠体２を外型Ｍ１に着脱自在に取付けられるようになっている。これにより、連続した中子取外し作業での枠体２の位置決めが容易になる。さらに、治具位置決め固定部材２ｂは取付螺子２ｂ２と長螺子孔２ｂ３によって枠体２に進退可能に取付けられ、外型の大きさに応じて治具位置決め固定部材２ｂを進退させ、多少の大きさに違いがある外型にも取付け可能になっている。
【００１６】
橋設部材４は、扁平長方形の枠体形状をなし、枠体２の空間部２ｃを横切って枠体２の例えば対向する２辺の中央に立設されたガイドバー３間に橋設部材４に取付けられたリング部４ａを介して橋設され、このガイドバー３間に沿って案内されてガイドバー３の上端に設けられたストッパ部３ａに当接するまで上昇可能になっており、また、橋設部材４の中央部には、中子Ｍ２に設けられた中子雌螺子５に螺合する取付用雄螺子部６ｂが形成された雄螺子棒６が、取付板４ｂを介して昇降自在に取付けられている。
【００１７】
この雄螺子棒６の中央部近傍には、中子上昇用雌螺子６ａが螺合する中子上昇用螺子部６ｂが設けられており、雄螺子棒６の先端には、中子雌螺子５に螺合する取付用雄螺子部６ｃが設けられている。
【００１８】
次に本発明に係わるセラミックス鋳造用中子取外治具を用いたセラミックス鋳造方法について説明する。
【００１９】
図４に示すように、鋳込型Ｍの鋳込み空隙Ｓに鋳込まれたセラミックス原料を含有するスラリが固化し鋳造物Ｃが形成された後、鋳込型Ｍの天地を逆にする。
【００２０】
しかる後、図５（ａ）に示すように、橋設部材４にスリングをかけ、ホイストにより中子取外治具１を吊上げ、中子取外治具１を鋳込型Ｍの外型Ｍ１に載置し、枠体２を外型Ｍ１及び木枠Ｗに載置する。治具位置決め固定部材２ｂは、予め取付螺子２ｂ２及び長螺子孔２ｂ３により爪部２ｂ１の位置が調整されて、上部周壁Ｍ１ｂに係合可能になっており、治具位置決め固定部材２ｂを外型Ｍ１の上部周壁Ｍ１ｂに係合して、枠体２を外型Ｍ１に取付ける。
【００２１】
レベル調整螺子２ａにより枠体２のレベル出しを行って、中子取外治具１のレベルを調整し、セットは完了する。
【００２２】
セット完了後、中子Ｍ２の中央部に設けられた中子雌螺子５に取付用雄螺子部６ｃを螺合させて、雄螺子棒６を中子Ｍ２に垂直に取付ける。
【００２３】
図５（ｂ）に示すように、作業者が操作するレンチにより、中子上昇用雌螺子６ａを締込み、図４に点線で示すように、雄螺子棒６を介して中子Ｍ２を数ｍｍ浮上がらせ、中子Ｍ２と鋳造物Ｃを分離する。
【００２４】
図５（ｃ）に示すように、再び橋設部材４にスリングをかけ、ホイストにより橋設部材４をガイドバー３に沿って垂直に吊上げ、雄螺子棒６を介して橋設部材４と一体的になっている中子Ｍ２も垂直に吊上げる。
【００２５】
図５（ｄ）に示すように、この吊上げを継続すると、橋設部材４が所定距離、すなわち橋設部材４のリング部４ａがガイドバー３のストッパ部３ａに当接するまで上昇し、中子Ｍ２を取外すと共に、ガイドバー３を介して、枠体２を吊下げて外型Ｍ１から離間し、中子Ｍ２の取外しが完了する。
【００２６】
上記実施形態のセラミックス鋳造用中子取外治具及びこれを用いたセラミックス鋳造方法によれば、中子の吊上げは、橋設部材を介してガイドバーに沿って垂直に吊上げられるので、振れがなく、鋳造物への衝突が防止でき、鋳造物の破損を防止できる。また、レベル調整螺子を設けることによって、枠体のレベルを調整でき、中子から鋳造物に対して偏荷重が作用するのが防止されて、鋳造物の破損が防止できる。さらに、治具位置決め固定部材を設けることによって、連続した中子取外し作業での枠体の位置決めが容易になり、より効率的な鋳造が可能となる。
【００２７】
なお、上記実施形態では、橋設部材が橋設されるガイドバーを一対設け、橋設部材の中央部に雄螺子棒を設けたが、ガイドバーに沿って橋設部材及び中子を吊上げることができれば、必ずしも一対である必要はなくそれ以上であってもよく、また、中子上昇用雌螺子の配設位置に応じて偏倚して立設されていてもよい。
【図面の簡単な説明】
【００２８】
【図１】本発明に係わる鋳造用中子取外治具の斜視図。
【図２】本発明に係わる鋳造用中子取外治具の鋳込型へ取付け状態を示す縦断面図。
【図３】本発明に係わる鋳造用中子取外治具の鋳込型へ取付け状態を示す平面図。
【図４】本発明に係わる鋳造用中子取外治具の使用状態を示す縦断面図。
【図５】（ａ）〜（ｄ）は、本発明に係わる鋳造用中子取外治具の使用状態を示す説明図。
【符号の説明】
【００２９】
１  鋳造用中子取外治具
２  枠体
３  ガイドバー
４  橋設部材
５  中子雌螺子
６  雄螺子棒６
【図１】
2005103956.tif 000003
【図２】
2005103956.tif 000004
【図３】
2005103956.tif 000005
【図４】
2005103956.tif 000006
【図５】
2005103956.tif 000007